(57)【要約】【課題】番組録画予約を複数の機器間で連動すること。【解決手段】リモートコントローラ１からＤＶＤレコーダー３に対して番組録画予約を行う。ＤＶＤレコーダー３内のメインコントローラ３ｇは予約内容のうち、番組終了時間を無線ＬＡＮモジュール３ｊを介してＳＤメモリカード記録機器５に送信する。ＳＤメモリカード記録機器５内のメインコントローラ５ｇは、無線ＬＡＮモジュール５ｊからテレビ放送番組の終了時間を受信したら、ＳＤメモリカード４への記録開始時間として記憶手段５ｈに格納する。【選択図】図１
2006020212.tif 000002
【特許請求の範囲】
【請求項１】
放送番組を受信する放送受信部と、
前記放送受信部で得られた番組のデータを圧縮符号化する符号化部と、
前記符号化部で得られた符号化データを第１の記録媒体に記録する記録部と、
前記第１の記録媒体のデータを読み出す再生部と、
少なくとも番組予約情報を記憶する第１の記憶部と、
番組予約を受け付け、前記第１の記憶部に登録する番組予約部と、
外部記録装置に対してデータを送受信する第１の通信部と、
前記番組予約情報に基づき、前記放送受信部によって予約番組が受信されたとき、番組のデータを前記第１の記録媒体に記録するよう前記記録部に指示を与え、前記第１の通信部を介して外部記録装置に前記データを転送するとき、前記再生部に再生指示を与える第１の制御部と、を具備することを特徴とする記録予約装置。
【請求項２】
前記第１の制御部は、前記番組予約部により複数の番組予約が受け付けられたとき、最初の番組の記録開始時刻から最後の番組の記録終了時刻までの時間間隔が所定範囲内の場合、前記再生部及び前記第１の通信部に対して、前記複数の番組のデータをまとめて転送するよう制御することを特徴とする請求項１記載の記録予約装置。
【請求項３】
前記第１の制御部は、前記第１の記録媒体に記録された番組のデータを、ユーザが指定した時刻に転送するよう制御することを特徴とする請求項１記載の記録予約装置。
【請求項４】
前記番組予約情報が番組開始時間を含むことを特徴とする請求項１項記載の記録予約装置。
【請求項５】
前記番組予約情報が番組終了時間を含むことを特徴とする請求項１項記載の記録予約装置。
【請求項６】
前記第１の記録媒体は、光ディスクであることを特徴とする請求項１記載の記録予約装置。
【請求項７】
外部装置とデータの送受信を行う第２の通信部と、
第２の記録媒体を装着するスロットと、
前記第２の通信部で得られた番組のデータの一部を記憶する共に、転送開始時刻又は転送終了時刻を含む番組予約情報を記憶する第２の記憶部と
前記スロットに装着された第２の記録媒体に対して前記第２の通信部を介して得られたデータを記録すると共に、記録されたデータを読み出す記録読出部と、
前記第２の記録媒体に番組のデータを記録するよう前記記録読出部に指示を与える第２の制御部と、を具備することを特徴とする記録装置。
【請求項８】
前記第２の制御部は、
前記第２の記憶部に記憶された番組予約情報に基づき、前記第２の記録媒体に番組のデータを記録するよう前記記録読出部に指示を与えることを特徴とする請求項７記載の記録装置。
【請求項９】
前記第２の記憶部に格納されている番組開始時刻に時間オフセットを加えるタイムシフト部を更に設け、
前記第２の制御部は、前記第２の記録媒体に記録する番組のデータ記録タイミングを前記オフセット値だけ遅らせることを特徴とする請求項７記載の記録装置。
【請求項１０】
前記第２の記録媒体は、不揮発性の半導体メモリであることを特徴とする請求項７記載の記録装置。
【請求項１１】
前記第２の記録媒体は、ハードディスクであることを特徴とする請求項７記載の記録装置。
【請求項１２】
請求項１記載の予約記録装置から請求項７記載の記録装置に対して前記通信部を介して番組のデータを転送することを特徴とする番組データ転送システム。
【請求項１３】
請求項１記載の予約記録装置から請求項７記載の記録装置に対して前記通信部を介して番組のデータを転送するとき、前記予約記録装置が転送命令を発行することを特徴とする番組データ転送システム。
【請求項１４】
請求項１記載の予約記録装置から請求項７記載の記録装置に対して前記通信部を介して番組のデータを転送するとき、前記記録装置が転送命令を発行することを特徴とする番組データ転送システム。
【発明の詳細な説明】
【技術分野】
【０００１】
本発明は、番組録画予約を複数の記録装置間で連動することのできる記録予約装置、記録装置、及びこれらの装置を用いた番組データ転送システムに関するものである。
【背景技術】
【０００２】
近年では小型の映像記録再生機器が普及し始めており、家庭内の据え置き型の映像記録再生機器に録画されたテレビ放送番組を、小型映像記録再生機器にコピーして、電車の中等、自宅外で番組内容を視聴することが可能となってきている。
【０００３】
以下、図５及び図６を用いて従来の記録予約装置、記録装置、番組データ転送システムについて説明する。ここでは一例として、番組データ転送システムは２種類の装置から構成されるものとし、１つを記録予約装置と呼び、ＤＶＤレコーダーを用いる。また他の１つを記録装置と呼び、ＳＤメモリ（登録商標）カード記録機器を用いる。また、番組のコンテンツデータであるＡＶデータを記録媒体に記録する形式はＭＰＥＧ（Moving Picture Image Coding Expert Group）２を用いるものとする。
【０００４】
図５は従来の記録予約装置及び記録装置の構成図である。記録予約装置であるＤＶＤレコーダー３は、リモートコントローラ１により操作され、放送番組を含む各種コンテンツを光ディスク２に記録したり、光ディスク２からコンテンツを再生することができる。また記録装置であるＳＤメモリカード記録機器５にはＳＤメモリカード４が装着でき、記録指示部６を介して、ＤＶＤレコーダー３からのコンテンツデータを記録したり、ＳＤメモリカード４に保持されたコンテンツデータを再生できるようになっている。
【０００５】
リモートコントローラ１はユーザがテレビ放送番組の予約指示を行ったり、各種のキー操作を行うものである。光ディスク２はＭＰＥＧ２によるコンテンツデータを記録又は再生する第１の記録媒体である。ＤＶＤレコーダー３はコンテンツとしてテレビ放送番組を受信し、光ディスク２に記録したり、光ディスク２からコンテンツデータを再生する装置である。
【０００６】
ＤＶＤレコーダー３は、キー受付部３ａ、放送受信部３ｂ、Ａ／Ｄコンバータ３ｃ、符号化部３ｄ、記録部３ｅ、再生部３ｆ、メインコントローラ３ｇ、第１の記憶部３ｈ、表示制御部３ｉ、ＡＶデータ出力部３ｌを含んで構成される。キー受付部３ａはリモートコントローラ１から出力されたキーコードを受信するものである。放送受信部３ｂは例えばアナログのテレビ放送を受信するものである。Ａ／Ｄコンバータ３ｃは放送受信部３ｂのアナログ出力をデジタル信号に変換するものである。符号化部３ｄはＡ／Ｄコンバーター３ｃの出力をＭＰＥＧ２方式に圧縮符号化するものである。なお、放送受信部３ｂはアナログ放送に限定するものではなく、デジタル放送でもよい。この場合、著作権制限の少ない場合、例えば自己使用におけるコピー行為が数回に制限されている場合などを前提とする。デジタル放送の場合はＡ／Ｄコンバータ３ｃや符号化部３ｄは機能しなくてよい。
【０００７】
記録部３ｅは符号化部３ｅの出力データを光ディスク２に記録するものである。再生部３ｆは光ディスク２に記録されたＭＰＥＧ２のデータを再生するものである。メインコントローラ３ｇはＤＶＤレコーダー３全体の制御を行う第１の制御部である。記憶部３ｈはメインコントローラ３ｇを介して番組予約情報やＭＰＥＧ２のデータの一部を記憶するものである。表示制御部３ｉは番組予約情報の表示を行うものである。ＡＶデータ出力部３ｌは再生部３ｆの出力を外部へ出力するものである。
【０００８】
ＳＤメモリカード４はＭＰＥＧ２のデータが記録可能な第２の記録媒体である。記録指示部６はユーザがＳＤメモリカード４に記録指示を行うものである。記録装置であるＳＤメモリカード記録機器５は、光ディスク２にＭＰＥＧ２のデータとして記録されているコンテンツデータを、ＡＶデータ出力部３ｌを介して取得し、ＳＤメモリカード４に記録する。ＳＤメモリカード記録機器５は、記録指示受付部５ａ、記録部５ｅ、メインコントローラ５ｇ、第２の記憶部５ｈ、表示制御部５ｉ、ＡＶデータ入力部５ｌを含んで構成される。
【０００９】
記録指示受付部５ａは記録指示部６から発行された記録指示を受付するものである。記録部５ｅはコンテンツに関わるＭＰＥＧ２のデータをＳＤメモリカード４に記録するものである。メインコントローラ５ｇはＳＤメモリカード記録機器５全体の制御を行うものである。記憶部５ｈはメインコントローラ５ｇを介して予約情報やＭＰＥＧ２のデータの一部を記憶するものである。表示制御部５ｉは予約情報の表示を行うものである。ＡＶデータ入力部５ｌは外部からのＡＶデータを入力するものである。
【００１０】
以上のように構成された従来の記録予約装置において、テレビ放送番組の録画予約を行い、実際に記録を行う動作について説明する。図６は従来の番組データ転送システムにおける録画予約及び記録手順を記述したフローチャートである。
【００１１】
まず録画予約について説明する。ユーザはリモートコントローラ１を用いて、ＤＶＤレコーダー３に対してテレビ放送番組の録画を予約する。テレビ放送番組の録画予約方式はいくつか存在するが、ここでは一例として、ジェムスターコード（Ｇコード）を用いた予約方式とする。リモートコントローラ１はＧコードをキー受付部３ａに送信する。キー受付部３ａはＧコードを番組の開始時間、終了時間及び放送チャンネルなどの番組予約情報に変換してメインコントローラ３ｇへ出力する。（ステップＳ１）。メインコントローラ３ｇは、キー受付部３ａから入力されたテレビ放送の番組予約情報を記憶部３ｈに格納すると共に、番組予約情報を表示制御部３ｉに出力し、予約結果の表示を行う（ステップＳ２）。
【００１２】
次に、テレビ放送番組の記録手順について説明する。ＤＶＤレコーダー３では番組録画の開始時間になったら（ステップＳ５）、メインコントローラ３ｇは記録部３ｅを制御して、光ディスク２にテレビ放送番組を記録する（ステップＳ６）。即ち、放送受信部３ｂから受信されたテレビ放送番組のコンテンツデータをＡ／Ｄコンバータ３ｃでデジタル化し、符号化部３ｄでＭＰＥＧ２に符号化された番組データを、記録部３ｅを介して光ディスク２に記録する。
【００１３】
ユーザは、ＤＶＤレコーダー３で録画番組の記録が終了したら（ステップＳ１２）、ＤＶＤレコーダー３とＳＤメモリカード記録機器５、すなわちＡＶデータ出力部３ｌとＡＶデータ入力部５ｌとをＡＶケーブルで接続する。なお、この接続は最初から行われていても良い。そして記録指示部６を用いて、ＳＤメモリカード記録機器５に対して、光ディスク２に録画されたテレビ放送番組の記録指示を行う。そして、ＳＤメモリカード４に記録したいテレビ放送番組を、リモートコントローラ１を用いて選択し、ＤＶＤレコーダー３に対して光ディスク２の再生指示をする（ステップＳ１３）。
【００１４】
ＤＶＤレコーダー３内のメインコントローラ３ｇは、再生部３ｆを制御し、光ディスク２に記録されたコンテンツデータを読み出し、一時的に記憶部３ｈに書き込む。そして、記憶部３ｈに一時的に保持されたコンテンツデータをＡＶデータ出力部３ｌに出力し、ＳＤメモリカード記録機器５へ転送する。
【００１５】
一方、ＳＤメモリカード記録機器５では、転送されてきたコンテンツデータをＡＶデータ入力部５ｌで受信し、メインコントローラ５ｇがコンテンツデータを記憶部５ｈに一時的に書き込み、記録部５ｅを介して、ＳＤメモリカード４に記録する（ステップＳ１４）。
【００１６】
なお、このようなテレビ放送番組の予約録画方式の従来技術としては、特許文献１に開示されるものがある。
【特許文献１】公開特許公報  特開２００３−１８９１９７
【発明の開示】
【発明が解決しようとする課題】
【００１７】
しかしながら、テレビ放送番組の予約は上記の従来例及び特許文献１のように、据え置き型の映像記録再生機器にのみしか行われない。即ち、据え置き型の映像記録再生機器から小型映像記録再生機器へテレビ放送番組を記録するときには、据え置き型の映像記録再生機器にテレビ放送番組が記録された後、手動で小型映像記録再生機器へ記録操作を行わなくてはならず、ユーザにとって操作が煩雑なものとなっていた。
【００１８】
本発明は、上記従来の問題点を解決するもので、複数の装置間で番組予約を連動させることによって、２台目以降の記録装置への番組記録手順を簡略化できる記録予約装置、記録装置、及び番組データ転送システムを提供することを目的とする。
【課題を解決するための手段】
【００１９】
この課題を解決するために、本発明の記録予約装置は、放送番組を受信する放送受信部と、前記放送受信部で得られた番組のデータを圧縮符号化する符号化部と、前記符号化部で得られた符号化データを第１の記録媒体に記録する記録部と、前記第１の記録媒体のデータを読み出す再生部と、少なくとも番組予約情報を記憶する第１の記憶部と、番組予約を受け付け、前記第１の記憶部に登録する番組予約部と、外部記録装置に対してデータを送受信する第１の通信部と、前記番組予約情報に基づき、前記放送受信部によって予約番組が受信されたとき、番組のデータを前記第１の記録媒体に記録するよう前記記録部に指示を与え、前記第１の通信部を介して外部記録装置に前記データを転送するとき、前記再生部に再生指示を与える第１の制御部と、を具備することを特徴とするものである。
【００２０】
ここで前記第１の制御部は、前記番組予約部により複数の番組予約が受け付けられたとき、最初の番組の記録開始時刻から最後の番組の記録終了時刻までの時間間隔が所定範囲内の場合、前記再生部及び前記第１の通信部に対して、前記複数の番組のデータをまとめて転送するよう制御してもよい。
【００２１】
ここで前記第１の制御部は、前記第１の記録媒体に記録された番組のデータを、ユーザが指定した時刻に転送するよう制御してもよい。
【００２２】
ここで前記番組予約情報が番組開始時間を含むようにしてもよい。
【００２３】
ここで前記番組予約情報が番組終了時間を含むようにしてもよい。
【００２４】
ここで前記第１の記録媒体は、光ディスクとしてもよい。
【００２５】
この課題を解決するために、本発明の記録装置は、外部装置とデータの送受信を行う第２の通信部と、第２の記録媒体を装着するスロットと、前記第２の通信部で得られた番組のデータの一部を記憶する共に、転送開始時刻又は転送終了時刻を含む番組予約情報を記憶する第２の記憶部と前記スロットに装着された第２の記録媒体に対して前記第２の通信部を介して得られたデータを記録すると共に、記録されたデータを読み出す記録読出部と、前記第２の記録媒体に番組のデータを記録するよう前記記録読出部に指示を与える第２の制御部と、を具備することを特徴とするものである。
【００２６】
ここで前記第２の制御部は、前記第２の記憶部に記憶された番組予約情報に基づき、前記第２の記録媒体に番組のデータを記録するよう前記記録読出部に指示を与えるようにしてもよい。
【００２７】
ここで前記第２の記憶部に格納されている番組開始時刻に時間オフセットを加えるタイムシフト部を更に設け、前記第２の制御部は、前記第２の記録媒体に記録する番組のデータ記録タイミングを前記オフセット値だけ遅らせるようにしてもよい。
【００２８】
ここで前記第２の記録媒体は、不揮発性の半導体メモリとしてもよい。
【００２９】
ここで前記第２の記録媒体は、ハードディスクとしてもよい。
【００３０】
この課題を解決するために、本発明の番組データ転送システムは、請求項１記載の予約記録装置から請求項７記載の記録装置に対して前記通信部を介して番組のデータを転送することを特徴とするものである。
【００３１】
この課題を解決するために、本発明の番組データ転送システムは、請求項１記載の予約記録装置から請求項７記載の記録装置に対して前記通信部を介して番組のデータを転送するとき、前記予約記録装置が転送命令を発行することを特徴とするものである。
【００３２】
この課題を解決するために、本発明の番組データ転送システムは、請求項１記載の予約記録装置から請求項７記載の記録装置に対して前記通信部を介して番組のデータを転送するとき、前記記録装置が転送命令を発行することを特徴とするものである。
【発明の効果】
【００３３】
本発明は、２台目以降の記録装置における記録動作を自動化することにより、たった一度の録画予約で複数の記録装置の番組録画を実現し、小型の記録装置による番組の視聴がより簡単に行えるようになる。また、ユーザが番組の放送中に外出先にいても、小型機器に自動的にテレビ放送番組が記録される。また記録済みの記録媒体を装着して記録装置を携帯して外出すれば、外出先又は帰宅途上でテレビ放送番組を視聴することが可能になる。
【発明を実施するための最良の形態】
【００３４】
以下、本発明の実施の形態における記録予約装置及び記録装置について、図面を参照しつつ説明する。ここでは番組データ転送システムを構成する装置は２種類あるものとし、その１つは記録予約装置と呼び、ＤＶＤレコーダーを用いる。他の1つは記録装置と呼び、ＳＤメモリカード記録機器を用いる。また、テレビ放送番組におけるコンテンツデータの記録形式はＭＰＥＧ（Moving Picture Image Coding Expert Group）２とする。さらに、２つの装置は同じ建物内に存在し（但し部屋は異なっていても良い）、互いに無線ＬＡＮ又は有線ＬＡＮ（Local Area Network）で接続されているとする。
【００３５】
（実施の形態１）
本発明の実施の形態１による記録予約装置及び記録装置の構成について、図１を用いて説明する。図１は本実施の形態における番組データ転送システム、即ち記録予約装置と記録装置の構成図である。図５の記録予約装置及び記録装置と同一部分は同一の符合を付け、同一部分の説明は省略する。
【００３６】
記録予約装置としてのＤＶＤレコーダー３は、リモートコントローラ１により操作され、第1の記録媒体である光ディスク２に放送番組を含む各種コンテンツデータを記録したり、光ディスク２からコンテンツデータを再生するものである。ＤＶＤレコーダー３は、キー受付部３ａ、放送受信部３ｂ、Ａ／Ｄコンバータ３ｃ、符号化部３ｄ、記録部３ｅ、再生部３ｆ、第１の制御部であるメインコントローラ３ｇ、記憶部３ｈ、表示制御部３ｉ、無線ＬＡＮモジュール３ｊを含んで構成される。なお、無線ＬＡＮモジュールの代わりに有線ＬＡＮを用いても良い。これらのＬＡＮを第１の通信部という。また、リモートコントローラ１及びキー受付部３ａは、ユーザからの番組予約を受け付け、記憶部３ｈに登録する番組予約部の機能を有している。
【００３７】
記録装置としてのＳＤメモリカード記録機器５は、ＤＶＤレコーダー３に挿入されて光ディスク２にＭＰＥＧ２のデータとして記録されているテレビ放送番組を含むコンテンツデータを、第２の通信部である無線ＬＡＮモジュール５ｊ又は有線ＬＡＮを介して取得し、第２の記録媒体であるＳＤメモリカード４にテレビ放送番組のコンテンツデータの記録を行うものである。ＳＤメモリカード記録機器５は、記録部５ｅ、第２の制御部であるメインコントローラ５ｇ、記憶部５ｈ、表示制御部５ｉ、無線ＬＡＮモジュール５ｊを含んで構成される。無線ＬＡＮモジュール３ｊ及び５ｊは、他の機器と無線でネットワーク接続し、番組予約情報やコンテンツデータを送受信する通信部である。なお、第２の記録媒体としてＳＤメモリカード４に代えて、小型のハードディスクドライブを用いてもよい。
【００３８】
以上のように構成された番組転送システムにおいて、テレビ放送番組の録画予約を行い、実際に記録を行う動作について説明する。図２は録画予約及び記録手順を記述したフローチャートである。まず、録画予約に関して、ステップＳ１からステップＳ２までは従来例と同様である。従来例と異なるのは、ステップＳ２とステップＳ５との間にステップＳ３及びステップＳ４の処理が加わることである。即ち、ＤＶＤレコーダー３内のメインコントローラ３ｇは、キー受付部３ａから送信されたテレビ放送の番組予約情報を記憶部３ｈに格納すると共に、番組予約情報を表示制御部３ｉに出力する。ここで番組予約情報とは、放送チャンネル数、番組開始時間、番組終了時間、番組放送時間（番組長さ）などをいう。そして表示制御部３ｉが予約結果の表示を行った（ステップＳ２）後、メインコントローラ３ｇは録画予約したテレビ放送番組の少なくとも開始時間又は終了時間のいずれかを無線ＬＡＮモジュール３ｊに与える。
【００３９】
ＤＶＤレコーダー３はネットワークを介してＳＤメモリカード記録機器５に開始時間又は終了時間のいずれかを番組予約情報として送信する（ステップＳ３）。ここでは一例として、テレビ放送番組の終了時間をＳＤメモリカード記録機器５に送信するとする。また、テレビ放送番組の終了時間の転送プロトコルであるが、ここでは一例として、ＵＰｎＰ（Universal Plug and Play）−ＡＶのベンダディペンデントコマンドとする。
【００４０】
ＳＤメモリカード記録器機５内の無線ＬＡＮモジュール５ｊは、ＤＶＤレコーダー３内の無線ＬＡＮモジュール３ｊから送信されたテレビ放送番組の終了時間を受信すると、この時間情報をメインコントローラ５ｇに与える。そして、メインコントローラ５ｇは、受信したテレビ放送番組の終了時間をＳＤメモリカード４に記録を開始する時間として、記憶部５ｈに格納する。そしてメインコントローラ５ｇは、受信結果を表示制御部５ｉに出力し、ＳＤメモリカードの記録開始時間の表示を行う（ステップＳ４）。以上でテレビ放送番組の録画予約は完了する。
【００４１】
次に、テレビ放送番組の記録手順について説明する。ＤＶＤレコーダー３では番組録画の開始時間になったら（ステップＳ５）、メインコントローラ３ｇは記録部３ｅを制御して、光ディスク２にテレビ放送番組を記録する（ステップＳ６）。即ち、放送受信部３ｂから受信されたテレビ放送番組のコンテンツデータをＡ／Ｄコンバータ３ｃでデジタル化し、符号化部３ｄに与える。符号化部３ｄはコンテンツデータをＭＰＥＧ２に基づいた圧縮と符号化を行い、記録部３ｅを介して光ディスク２に記録する。
【００４２】
従来例では、ユーザがＤＶＤレコーダー３での番組録画の終了後、手動でＳＤメモリカード記録機器５への番組記録を行っていた。しかし本実施の形態では、以下の手順となる。まず、ＳＤメモリカード記録機器５では、ＳＤメモリカードの記録開始時間になったら（ステップＳ７）、メインコントローラ５ｇは無線ＬＡＮモジュール５ｊを介してＤＶＤレコーダー３にコンテンツデータの送信リクエストを発行する（ステップＳ８）。コンテンツデータ送信リクエストの発行方式は、ここでは一例としてＵＰｎＰ−ＡＶのベンダディペンデントコマンドとする。
【００４３】
ＤＶＤレコーダー３では、ＳＤメモリカード記録機器５から発行されたコンテンツデータの送信リクエストを無線ＬＡＮモジュール３ｊで受信したら、この送信リクエストをメインコントローラ３ｇに与える。これを受けてメインコントローラ３ｇは、再生部３ｆを制御し、光ディスク２に記録されたコンテンツデータを再生し、その一部を記憶部３ｈに書き込む。そして、記憶部３ｈに書き込まれたコンテンツデータを無線ＬＡＮモジュール３ｊによって、ＳＤメモリカード記録機器５へ転送する（ステップＳ９）。このときのプロトコルは、一例としてＨＴＴＰを用いる。
【００４４】
ＳＤメモリカード記録機器５では、転送されてきたコンテンツデータを無線ＬＡＮモジュール５ｊで受信したら、メインコントローラ５ｇはコンテンツデータを記憶部５ｈに書き込み、一時的に保持する。この場合の記憶部５ｈの機能は、符号化データのバッファリングである。そしてメインコントローラ５ｇは記録部５ｅを介して、コンテンツデータをＳＤメモリカード４に記録する（ステップＳ１０）。
【００４５】
以上のように本実施の形態によれば、２台目以降の記録装置における記録動作を自動化することにより、たった一度の録画予約で複数の装置の番組録画を実現し、小型の記録装置による番組の視聴がより簡単に行えるようになる。
【００４６】
ここでＤＶＤレコーダー３内のメインコントローラ３ｇは、番組予約部により複数の番組予約が受け付けられたとき、最初の番組の記録開始時刻から最後の番組の記録終了時刻までの時間間隔が所定範囲内の場合、再生部３ｆ及び無線ＬＡＮモジュール３ｊに対して、複数の番組のデータをまとめて転送するよう制御することもできる。またメインコントローラ３ｇは、光ディスク２に記録された番組のデータを、ユーザが指定した時刻に転送するよう制御することもできる。
【００４７】
なお予約記録装置であるＤＶＤレコーダー３から記録装置であるＳＤメモリカード記録機器５に対して番組のデータを転送するシステムを番組データ転送システムという。この場合、予約記録装置から記録装置に対して番組のデータを転送するとき、予約記録装置が転送命令を発行するようにしても良い。また予約記録装置から記録装置に対して番組のデータを転送するとき、記録装置が転送命令を発行するようにしても良い。
【００４８】
（実施の形態２）
次に本発明の実施の形態２による番組データ転送システムについて説明する。図３は実施の形態２の番組データ転送システムにおける記録予約装置及び記録装置の構成図である。実施の形態１と同一部分は同一の符号をつけ、それらの説明を省略する。ＤＶＤレコーダー３は、キー受付部３ａ、放送受信部３ｂ、Ａ／Ｄコンバータ３ｃ、符号化部３ｄ、記録部３ｅ、再生部３ｆ、メインコントローラ３ｇ、記憶部３ｈ、表示制御部３ｉ、無線ＬＡＮモジュール３ｊを含んで構成される。またＳＤメモリカード記録機器５は、記録部５ｅ、メインコントローラ５ｇ、記憶部５ｈ、表示制御部５ｉ、無線ＬＡＮモジュール５ｊに加えて、オフセット設定部５ｋを含んで構成される。
【００４９】
オフセット設定部５ｋは、ＤＶＤレコーダー３から送信されてきた番組開始時間あるいは終了時間に所定値を加算するものである。この所定値はユーザが設定できるようにしても良いし、予め固定されていても良い。
【００５０】
以上のように構成された記録予約装置において、テレビ放送番組の録画予約を行い、実際に記録を行う動作について説明する。図４は本実施の形態における録画予約及び記録手順を記述したフローチャートである。
【００５１】
まず録画予約に関して、ＤＶＤレコーダー３側の録画予約手順、即ちステップＳ１からステップＳ３までは、実施の形態１の場合と同様である。実施の形態１と異なるのは、ＳＤメモリカード記録機器５側の処理で、メインコントローラ５ｇは受信したテレビ放送番組の終了時間に、オフセット設定部５ｋの出力を加算した値をＳＤメモリカードの記録開始時間として記憶部５ｈに格納することである。この場合、受信結果を表示制御部５ｉに出力し、ＳＤメモリカードの記録開始時間の表示を行う（ステップＳ１１）。なお、本実施の形態におけるテレビ放送番組の記録手順は、実施の形態１と同様である。
【００５２】
以上のように、実施の形態２によれば、ＳＤメモリカードの記録開始時間を、ＤＶＤレコーダーでの記録終了時間から余裕を持たせることによって、記録予約装置と記録装置間の時計の誤差を補正し、光ディスクへの番組データの記録完了前に、ＳＤメモリカードへの記録が追いついてしまうという不都合な事態を回避することができる。
【００５３】
なお、実施の形態１及び２において、記録予約装置と記録装置とは同じ建物内に存在するとしたが、異なる建物間又は屋外でもよい。この場合も、２つの装置間はＬＡＮ及びインターネットで接続されることとなる。また、実施の形態１及び２において、記録予約装置と記録装置間は無線ＬＡＮで接続するとしたが、有線ＬＡＮで接続しても良い。
【００５４】
ＳＤメモリカード記録装置に小型ＵＳＢコネクターを取り付け、外出先のモニターで、記録予約装置から転送された番組を見ることもできる。
【００５５】
また、実施の形態１及び２において、記録予約装置と記録装置での記録媒体へ記録する符号化形式は同じものとした。しかし、記録されたコンテンツデータを転送させて記録し再生する装置側では、コンテンツデータを異なる方式を用いて再符号化したものを記録しても良い。
【産業上の利用可能性】
【００５６】
本発明にかかる記録予約装置は、２台目以降の記録装置における記録動作を自動化し、たった一度の録画予約で複数の記録装置の番組録画を実現することができる。このような機能は、小型の装置による番組の視聴をより簡単に行うことが必要な用途に好適に利用できる。
【図面の簡単な説明】
【００５７】
【図１】本発明の実施の形態１における番組データ転送システムの構成を示すブロック図である。
【図２】本実施の形態１における番組データ転送システムの動作を示すフローチャートである。
【図３】本発明の実施の形態２における番組データ転送システムの構成を示すブロック図である。
【図４】本実施の形態２における番組データ転送システムの動作を示すフローチャートである。
【図５】従来の番組データ転送システムの構成を示すブロック図である。
【図６】従来の番組データ転送システムの動作を示すフローチャートである。
【符号の説明】
【００５８】
１  リモートコントローラ
２  光ディスク
３  ＤＶＤレコーダー（記録予約装置）
３ａ  キー受付部
３ｂ  放送受信部
３ｅ，５ｅ  記録部
３ｆ  再生部
３ｇ，５ｊ  メインコントローラ
３ｈ，５ｈ  記憶部
３ｊ，５ｊ  無線ＬＡＮモジュール
５  ＳＤメモリカード記録機器（記録装置）
５ｋ  オフセット設定部
【図１】
2006020212.tif 000003
【図２】
2006020212.tif 000004
【図３】
2006020212.tif 000005
【図４】
2006020212.tif 000006
【図５】
2006020212.tif 000007
【図６】
2006020212.tif 000008